(57)【要約】【課題】ブラケット撮影モードなどの第１の撮影モード際に、バッファメモリに十分な空き容量がないとしても、シャッターチャンスを逃すことなく撮影を行う。【解決手段】バッファメモリであるＲＡＭ１０５には被写体を撮影した結果得られた未処理画像データが記録される。ＣＰＵ１０１は操作部１０９の操作に応じて被写体を連続的に撮影して少なくとも２枚の未処理画像データを得る第１の撮影モードと第１の撮影モードにおける撮影枚数未満の未処理画像データを得る第２の撮影モードとのいずれかを設定する。ＣＰＵは、第１の撮影モードが設定された際に、ＲＡＭの残容量が第１の撮影モードで得られた未処理画像データを記録するための記録容量未満であると、第１の撮影モードから第２の撮影モードに切り替える切り替え制御を行う。【選択図】図１
2016051017.tif 000002
【特許請求の範囲】
【請求項１】
被写体を撮影する撮像装置であって、
前記被写体を撮影した結果得られた未処理画像データを記録する第１の記録手段と、
前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定手段と、
前記第１の記録手段の残容量が前記第１の撮影モードで得られた未処理画像データを記録するための記録容量以上であるか否かを判定する判定手段と、
前記第１の撮影モードが設定された際に、前記判定手段によって前記残容量が前記記録容量未満であると判定されると、前記第１の撮影モードから前記第２の撮影モードに切り替える切り替え制御を行う制御手段と、
を有することを特徴とする撮像装置。
【請求項２】
前記第２の撮影モードは、前記被写体を撮影して１枚の静止画データを得る単写撮影モードであることを特徴とする請求項１に記載の撮像装置。
【請求項３】
前記第１の撮影モードは、撮影条件を変更して複数枚の未処理画像データを得るブラケット撮影モードであることを特徴とする請求項１に記載の撮像装置。
【請求項４】
前記第２の撮影モードは、前記第１の撮影モードよりも撮影枚数が少ないブラケット撮影モードであることを特徴とする請求項３に記載の撮像装置。
【請求項５】
前記未処理画像データに対して所定の画像処理を行った画像処理済みの画像データを記録する第２の記録手段を有することを特徴とする請求項１〜４のいずれか１項に記載の撮像装置。
【請求項６】
前記制御手段によって前記第１の撮影モードから前記第２の撮影モードに切り替えられて前記第２の撮影モードで撮影を行った結果得られた未処理画像データに対して、前記第１の撮影モードにおいて設定された撮影条件に応じて画像処理を行う画像処理手段を有することを特徴とする請求項１〜５のいずれか１項に記載の撮像装置。
【請求項７】
被写体を撮影した結果得られた未処理画像データを記録する第１の記録手段を備える撮像装置の制御方法であって、
前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定ステップと、
前記第１の記録手段の残容量が前記第１の撮影モードで得られた未処理画像データを記録するための記録容量以上であるか否かを判定する判定ステップと、
前記第１の撮影モードが設定された際に、前記判定ステップで前記残容量が前記記録容量未満であると判定されると、前記第１の撮影モードから前記第２の撮影モードに切り替える切り替え制御を行う制御ステップと、
を有することを特徴とする制御方法。
【請求項８】
被写体を撮影した結果得られた未処理画像データを記録する第１の記録手段を備える撮像装置で用いられる制御プログラムであって、
前記撮像装置が備えるコンピュータに、
前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定ステップと、
前記第１の記録手段の残容量が前記第１の撮影モードで得られた未処理画像データを記録するための記録容量以上であるか否かを判定する判定ステップと、
前記第１の撮影モードが設定された際に、前記判定ステップで前記残容量が前記記録容量未満であると判定されると、前記第１の撮影モードから前記第２の撮影モードに切り替える切り替え制御を行う制御ステップと、
を実行させることを特徴とする制御プログラム。
【発明の詳細な説明】
【技術分野】
【０００１】
本発明は、撮像装置、その制御方法、および制御プログラムに関し、特に、ブラケット撮影を行う撮像装置に関する。
【背景技術】
【０００２】
従来、デジタルカメラなどの撮像装置において、撮像の際に特定のパラメータを、所定の基準値および当該基準値からずらした値として複数の撮像画像を得るオートブラケット機能を備える撮像装置が知られている。オートブラケット機能による撮影（ブラケット撮影）においては、一度のレリーズ操作に応じて複数の撮像画像を得て、これら複数の撮像画像をバッファメモリに一時的に記録する。そして、これら複数の撮像画像に対して順次画像処理を行って記録媒体に記録する。
【０００３】
このような撮像装置において、連続してブラケット撮影が行われると、バッファメモリに撮像画像が連続して記録されることになる。そして、バッファメモリへの記録が画像処理速度よりも速いと、バッファメモリの容量が不足するという事態が生じて、撮像画像が失われてしまうことになる。
【０００４】
このようなバッファメモリの容量不足に対処するため、例えば、ブラケット撮影に必要となる空き容量がバッファメモリに確保されるまで、撮影動作を禁止するようにした撮像装置がある（特許文献１参照）。
【先行技術文献】
【特許文献】
【０００５】
【特許文献１】特開２００３―１１０９２５号公報
【発明の概要】
【発明が解決しようとする課題】
【０００６】
ところが、特許文献１に記載の撮像装置においては、バッファメモリに十分な空き容量が確保されるまで撮影動作が禁止される結果、連続してブラケット撮影を行っている際に撮影禁止状態となることがある。この結果、ユーザにとっては撮影したいタイミングで撮影禁止状態となってしまい、シャッターチャンスを逃す可能性がある。
【０００７】
従って、本発明の目的は、ブラケット撮影の際に、バッファメモリに十分な空き容量がないとしても、シャッターチャンスを逃すことなく撮影を行うことのできる撮像装置、その制御方法、および制御プログラムを供することにある。
【課題を解決するための手段】
【０００８】
上記の目的を達成するため、本発明による撮像装置は、被写体を撮影する撮像装置であって、前記被写体を撮影した結果得られた未処理画像データを記録する第１の記録手段と、前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定手段と、前記第１の記録手段の残容量が前記第１の撮影モードで得られた未処理画像データを記録するための記録容量以上であるか否かを判定する判定手段と、前記第１の撮影モードが設定された際に、前記判定手段によって前記残容量が前記記録容量未満であると判定されると、前記第１の撮影モードから前記第２の撮影モードに切り替える切り替え制御を行う制御手段と、を有することを特徴とする。
【０００９】
本発明による制御方法は、被写体を撮影した結果得られた未処理画像データを記録する第１の記録手段を備える撮像装置の制御方法であって、前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定ステップと、前記第１の記録手段の残容量が前記第１の撮影モードで得られた未処理画像データを記録するための記録容量以上であるか否かを判定する判定ステップと、前記第１の撮影モードが設定された際に、前記判定ステップで前記残容量が前記記録容量未満であると判定されると、前記第１の撮影モードから前記第２の撮影モードに切り替える切り替え制御を行う制御ステップと、を有することを特徴とする。
【００１０】
本発明による制御プログラムは、被写体を撮影した結果得られた未処理画像データを記録する第１の記録手段を備える撮像装置で用いられる制御プログラムであって、前記撮像装置が備えるコンピュータに、前記被写体を連続的に撮影して少なくとも２枚の未処理画像データを得る第１の撮影モードと前記第１の撮影モードにおける撮影枚数未満の未処理画像データを得る第２の撮影モードとのいずれかを設定する設定ステップと、前記第１の記録手段の残容量が前記第１の撮影モードで得られた未処理画像データを記録するための記録容量以上であるか否かを判定する判定ステップと、前記第１の撮影モードが設定された際に、前記判定ステップで前記残容量が前記記録容量未満であると判定されると、前記第１の撮影モードから前記第２の撮影モードに切り替える切り替え制御を行う制御ステップと、を実行させることを特徴とする。
【発明の効果】
【００１１】
本発明によれば、ブラケット撮影の際に、バッファメモリに十分な空き容量がないとしても、シャッターチャンスを逃すことなく撮影を行うことができる。
【図面の簡単な説明】
【００１２】
【図１】本発明の第１の実施形態による撮像装置の一例についてその構成を示すブロック図である。
【図２】図１に示すカメラで行われるブラケット撮影を説明するためのフローチャートである。
【図３】図２に示す記録予定容量以上であるか否かを判定する処理を説明するための図である。
【図４Ａ】本発明の第２の実施形態によるカメラで行われるブラケット撮影を説明するためのフローチャートである（その１）。
【図４Ｂ】本発明の第２の実施形態によるカメラで行われるブラケット撮影を説明するためのフローチャートである（その２）。
【発明を実施するための形態】
【００１３】
以下に、本発明の実施の形態による撮像装置の一例について図面を参照して説明する。
【００１４】
［第１の実施形態］
図１は、本発明の第１の実施形態による撮像装置の一例についてその構成を示すブロック図である。
【００１５】
図示の撮像装置は、例えば、デジタルカメラ（以下単にカメラと呼ぶ）１００であり、ＣＰＵ１０１を有している。そして、ＣＰＵ１０１はカメラ１００全体の動作を統括制御する。撮像素子１０２は、例えば、ＣＣＤ又はＣＭＯＳセンサであり、撮影レンズ（図示せず）を介して入射した被写体像（光学像）に応じた電気信号（アナログ信号）を出力する。
【００１６】
撮像素子１０２の出力であるアナログ信号はＡ／Ｄ変換回路１０３に入力され、Ａ／Ｄ変換回路１０３はアナログ信号をデジタル信号（ＲＡＷデータ：未処理画像データ）に変換する。タイミング発生回路（ＴＧ）１０４は、ＣＰＵ１０１の制御下で撮像素子１０２およびＡ／Ｄ変換回路１０３にクロック信号および制御信号を送って、撮像素子１０２における読み出しおよびＡ／Ｄ変換回路１０３におけるＡ／Ｄ変換を制御する。
【００１７】
ＲＡＭ（第１の記録手段）１０５はＣＰＵ１０１のワークエリアとして用いられる一時記録領域である。さらには、ＲＡＭ１０５には、上記のＲＡＷデータが記録されるとともに、静止画信号処理回路１０７によって所定の画像処理が行われた画像データ（画像処理済み画像データ）などが記録される。そして、ＲＡＭ１０５は所定枚数分のＲＡＷデータおよび画像データを格納するための十分な容量を有している。
【００１８】
ＲＯＭ１０６には、後述するフローチャートに係る処理などを実行するための制御プログラムが格納されている。静止画信号処理回路１０７は、ＣＰＵ１０１の制御下で、ＲＡＷデータに対して所定の画像処理を行って画像データ（例えば、静止画信号）を生成する。
【００１９】
静止画撮像スイッチ１０８はユーザが静止画撮像を行う際に操作される。操作部１０９はユーザがカメラ１００に対して種々の設定などを行う際に用いられる。ＣＰＵ０１はカメラ１００に係る各種設定画面を表示部１１０に表示する。さらに、ＣＰＵ１０１は撮像の結果得られた静止画を表示部１１０に表示するとともに、後述する外部記録装置（記録媒体：第２の記録手段）１２０に記録された画像データを再生して表示部１１０に表示する。
【００２０】
カメラ１００には、メモリカード又はハードディスクなどの外部記録装置１２０と接続されるＩ／Ｆ（インタフェース）１１１が備えられている。そして、Ｉ／Ｆ１１１にはコネクタ１１２によって外部記録装置１２０が接続される。
【００２１】
外部記録装置１２０は、コネクタ１２１、Ｉ／Ｆ１２２、および記録部１２３を有している。Ｉ／Ｆ１２２はコネクタ１２１を介してコネクタ１１２に接続され、記録部１２３には画像処理済みの画像データ（例えば、静止画）などが記録される。
【００２２】
なお、図１においては、外部記録装置１２０を取り付けるためのＩ／Ｆおよびコネクタを一系統だけ示されているが、カメラ１００は外部記録装置１２０を取り付けるためのＩ／Ｆおよびコネクタを複数の系統備えるようにしてもよい。さらには、カメラ１００は、異なる規格のＩ／Ｆおよびコネクタを組み合わせて備えるようにしてもよい。
【００２３】
図２は、図１に示すカメラ１００で行われるブラケット撮影を説明するためのフローチャートである。なお、図示のフローチャートに係る処理は、ＣＰＵ１０１の制御下で行われる。
【００２４】
以下の説明では、ＲＡＭ１０５には常に少なくとも１枚の静止画を記録可能な空き容量があるものとする。さらに、ＲＡＭ１０５に記録されたＲＡＷデータに対して画像処理を行って記録部１２３に画像データを記録するまでに要する時間は、撮像素子１０２におけるアナログ信号の読み出しとＡ／Ｄ変換を行ってＲＡＭ１０５にＲＡＷデータを記録するまでに要する時間よりも長いものとする。
【００２５】
いま、カメラ１００に備えられた主電源スイッチ（図示せず）がオンとされて、操作部１０９でブラケット撮影モード（第１の撮影モード）が設定されているものとする。なお、ブラケット撮影モードとは、被写体を連続的に撮影して少なくとも２枚（複数枚）の画像を得る撮影モードであり、この際には、撮影条件が変更される。
【００２６】
まず、ＣＰＵ１０１は、ブラケット撮影モードにおける設定条件を取得する（ステップＳ２０１）。ここでは、ユーザは操作部１０９によってブラケット撮影モードにおける設定条件を設定するものとする。この設定条件として、例えば、ブラケット撮影において変化させるパラメータ、当該パラメータにおける変化量およびブラケット撮影枚数などを示すブラケット撮影条件が設定される。
【００２７】
なお、以下の説明では、ブラケット撮影において変化させるパラメータをブラケットパラメータと呼び、ブラケットパラメータを複数設定するようにしてもよい。
【００２８】
続いて、ＣＰＵ１０１は、一時記憶領域であるＲＡＭ１０５の残容量がブラケット撮影枚数から得られる記録予定容量以上（つまり、記録容量以上）であるか否かを判定する（ステップＳ２０２）。なお、ステップＳ２０２の処理については後述する。
【００２９】
ＲＡＭ１０５の残容量が記録予定容量以上であると（ステップＳ２０２において、ＹＥＳ）、ＣＰＵ１０１は、静止画撮像スイッチ１０８の操作によってレリーズ操作を受け付けたか否かを判定する（ステップＳ２０３）。レリーズ操作を受け付けないと（ステップＳ２０３において、ＮＯ）、ＣＰＵ１０１は待機する。
【００３０】
レリーズ操作を受け付けると（ステップＳ２０３において、ＹＥＳ）、ＣＰＵ１０１は上記のブラケット撮影条件に応じてブラケット撮影処理を行って（ステップＳ２０４）、これによって得られたＲＡＷデータをＲＡＭ１０５に記録する。この際には、ＣＰＵ１０１はブラケット撮影の撮影枚数に応じて設定枚数分の撮影処理を行うことになる。
【００３１】
続いて、ＣＰＵ１０１の制御下で静止画信号処理回路１０７は、ＲＡＭ１０５に記録されたＲＡＷデータに対して所定の画像処理を行って、画像データとしてＲＡＭ１０５に記録する（ステップＳ２０５）。そして、ＣＰＵ１０１は、ＲＡＭ１０５に記録された画像データを記録部１２３に記録する（ステップＳ２０６）。
【００３２】
なお、ステップＳ２０５〜２０６の処理は、他の処理と並行して行われ、ＲＡＭ１０５に記録された未処理のＲＡＷデータが存在しなくなるまで、ＣＰＵ１０１の制御下でＲＡＷデータに対する画像処理および記録部１２３に対する記録処理が連続的に行われる。
【００３３】
ＲＡＭ１０５の残容量が記録予定容量未満（つまり、記録容量未満）であると（ステップＳ２０２において、ＮＯ）、ＣＰＵ１０１は撮影モードを、ブラケット撮影モードから単写撮影モード（単写モードともいう）に切り替える（ステップＳ２０７）。
【００３４】
なお、単写撮影モード（第２の撮影モード）とは、被写体を撮影して一枚の静止画（静止画データ）を得る撮影モードをいう。ここでは、単写撮影モードに限らず、第２の撮影モードは、第１の撮影モード（ブラケット撮影モード）における撮影枚数未満の未処理画像データを得る撮影モードであればよい。
【００３５】
次に、ＣＰＵ１０１は、静止画撮像スイッチ１０８の操作によってレリーズ操作を受け付けたか否かを判定する（ステップＳ２０８）。レリーズ操作を受け付けないと（ステップＳ２０８において、ＮＯ）、ＣＰＵ１０１は、ステップＳ２０２の処理に戻る。
【００３６】
レリーズ操作を受け付けると（ステップＳ２０８において、ＹＥＳ）、ＣＰＵ１０１は単写撮影処理を行って（ステップＳ２０９）、これによって得られたＲＡＷデータをＲＡＭ１０５に記録する。
【００３７】
続いて、ＣＰＵ１０１の制御下で静止画信号処理回路１０７は、ＲＡＭ１０５に記録されたＲＡＷデータに対して所定の画像処理を行って、画像データとしてＲＡＭ１０５に記録する（ステップＳ２１０）。そして、ＣＰＵ１０１は、ＲＡＭ１０５に記録された画像データを記録部１２３に記録する（ステップＳ２１１）。その後、ＣＰＵ１０１は、撮影モードを単写撮影モードからブラケット撮影モードに戻す（ステップＳ２１２）。
【００３８】
ステップＳ２０６又はＳ２１２の処理の後、ＣＰＵ１０１はブラケット撮影モードが終了したか否かを判定する（ステップＳ２１３）。ここでは、ＣＰＵ１０１は、例えば、撮影モードをブラケット撮影モードから他の撮影モード（単写撮影モードなど）に変更する操作又は撮影モードから再生モードに切り替える操作を受け付けると、ブラケット撮影モードが終了したと判定する。
【００３９】
ブラケット撮影モードが終了すると（ステップＳ２１３において、ＹＥＳ）、ＣＰＵ１０１はブラケット撮影を終了する。一方、ブラケット撮影モードが終了しないと（ステップＳ２１３において、ＮＯ）、ＣＰＵ１０１はステップＳ２０２の処理に戻る。
【００４０】
図３は、図２に示す記録予定容量以上であるか否かを判定する処理を説明するための図である。ここでは、ＲＡＭ１０５に未処理のＲＡＷデータが存在して十分な空き容量がない状態が示されている。
【００４１】
図３において、領域３０１は、ブラケット撮影において１枚のＲＡＷデータを取得した際に必要な容量を有する領域を示す。領域３０２は、未処理のＲＡＷデータＲＡＷ０４〜１０と画像処理後の画像データＪＰＧ０３とが格納された領域である。領域３０３の領域は空き領域を示す。
【００４２】
図示の例では、ＲＡＭ１０５にはおおよそ５枚分のＲＡＷデータを格納可能な空き容量がある。そして、画像処理済みの画像データは随時ＲＡＭ１０５から記録部１２３に記録される。図３に示す状態では、記録部１２３には既に画像処理済みの画像データＪＰＧ０１〜０２が記録されている。
【００４３】
この際、ブラケット撮影条件において、２つのパラメータを３つの条件で変化させる撮影が設定されていたものとする。ここでは、一度のレリーズ操作によって３×３＝９枚のＲＡＷデータが取得されることになる。この場合、空き領域３０３に格納可能なＲＡＷデータの枚数は９枚未満であるので、たとえ、レリーズ操作を受け付けたとしてもブラケット撮影で得られた９枚のＲＡＷデータの全てＲＡＭ１０５に格納することはできない。このため、ＣＰＵ１０１は撮影モードをブラケット撮影モードから単写モードに切り替えて、１枚のＲＡＷデータを得るように撮影条件が変更する。
【００４４】
なお、第２の撮影モード（単写撮影モード）に切り替えられた場合であっても、それまでのブラケット撮影モードで使用されていた撮影パラメータ（ブラケットパラメータ）を引継いでもよい。例えば、単写撮影モードに切り替わると、それぞれのブラケットパラメータに関して中央値を用いて単写撮影ができるようにしてもよい。
【００４５】
このように、本発明の第１の実施形態では、ブラケット撮影の際にＲＡＭ１０５の残容量が十分にないと、ブラケット撮影モードから他の撮影モード（例えば、単写モード）に切り替える。これによって、レリーズ操作の際に少なくとも一枚の静止画を撮影して記録することができ、ユーザはシャッターチャンスを逃すことなく撮影を行うことができる。
【００４６】
［第２の実施形態］
続いて、本発明の第２の実施形態によるカメラの一例について説明する。なお、第２の実施形態に係るカメラの構成は図１に示すカメラと同様である。
【００４７】
上述の第１の実施形態においては、ブラケット撮影の際にＲＡＭ１０５の残容量が十分にないと、撮影モードをブラケット撮影モードから単写モードに切り替えている。第１の実施形態では単写モードで撮影が行われる結果、ブラケット撮影モードにおいて設定されたブラケットパラメータを変化させた画像データを得ることができない。
【００４８】
そこで、第２の実施形態では、ブラケット撮影モードから単写モードに切り替えられた場合に、単写モードで撮影の後、再現可能なブラケットパラメータに応じて、ブラケット撮影モードによる画像データを再現処理する。なお、再現可能なブラケットパラメータとは、例えば、ホワイトバランス、明るさ、コントラスト、および彩度に係るパラメータであり、以下の説明では、これらパラメータを画像処理パラメータと呼ぶ。
【００４９】
図４Ａおよび図４Ｂは、本発明の第２の実施形態によるカメラで行われるブラケット撮影を説明するためのフローチャートである。なお、図示のフローチャートに係る処理は、ＣＰＵ１０１の制御下で行われる。また、図４Ａおよび図４Ｂにおいて、図２に示すフローチャートのステップと同一のステップについては同一の参照符号を付して説明を省略する。
【００５０】
ステップＳ２０９の処理の後、ＣＰＵ１０１は、ブラケット撮影条件においてブラケットパラメータに画像処理パラメータが含まれるか否かを判定する（ステップＳ４１０）。ブラケットパラメータに画像処理パラメータが含まれると（ステップＳ４１０において、ＹＥＳ）、ＣＰＵ１０１は、ステップＳ２０９で得たＲＡＷデータとステップＳ２０１で得たブラケット撮影条件を関連付けて記録部１２３に記録する（ステップＳ４１１）。その後、ＣＰＵ１０１は、ステップＳ２１２およびＳ２１３の処理を行う。
【００５１】
一方、ブラケットパラメータに画像処理パラメータが含まれていないと（ステップＳ４１０において、ＮＯ）、ＣＰＵ１０１はステップＳ２１０およびＳ２１１の処理を行う。
【００５２】
ステップＳ２１３において、ブラケット撮影モードが終了すると（ステップＳ２１３において、ＹＥＳ）、ＣＰＵ１０１は、ブラケット撮影条件が関連付けられたＲＡＷデータが記録部１２３に記録されているか否かを判定する（ステップＳ４１６）。ブラケット撮影条件が関連付けられたＲＡＷデータが記録部１２３に記録されていると（ステップＳ４１６において、ＹＥＳ）、ＣＰＵ１０１は、一時記憶領域であるＲＡＭ１０５の残容量がブラケット撮影枚数から得られる記録予定容量以上であるか否かを判定する（ステップＳ４１７）。
【００５３】
ＲＡＭ１０５の残容量が記録予定容量未満であると（ステップＳ４１７において、ＮＯ）、ＣＰＵ１０１は待機してＲＡＭ１０５の残容量が記録予定容量以上となるまで待つ。
【００５４】
ＲＡＭ１０５の残容量が記録予定容量以上であると（ステップＳ４１７において、ＹＥＳ）、ＣＰＵ１０１は、画像処理パラメータに応じて記録部１２３から読み出したＲＡＷデータに対して画像処理を施して、ブラケット撮影による画像（つまり、ブラケット画像）を作成する（ステップＳ４１８）。
【００５５】
つまり、ＣＰＵ１０１はＲＡＷデータに関連付けられたブラケット撮影条件に応じて、画像処理パラメータについてブラケット撮影によって得られる画像と同等の画像を生成して、当該画像（ＲＡＷデータ）をＲＡＭ１０５に記録する。
【００５６】
例えば、ブラケット撮影条件として、ブラケットパラメータに画像処理パラメータとしてホワイトバランスに係るパラメータを含みその変化量が±１．０であって、ブラケット撮影枚数が３枚であるとする。この場合、ステップＳ４１８の処理においては、ＲＡＷデータに対してそのホワイトバランスを”−１．０”、”０．０”、および”＋１．０”とする画像処理が行われて、画像（ブラケット画像データ）が合計３枚生成されることになる。
【００５７】
その後、ＣＰＵ１０１はブラケット画像を記録部１２３に記録して（ステップＳ４１９）、ブラケット撮影を終了する。なお、ブラケット撮影条件が関連付けられたＲＡＷデータが記録部１２３に記録されていないと（ステップＳ４１６において、ＮＯ）、ＣＰＵ１０１はブラケット撮影を終了する。
【００５８】
このように、本発明の第２の実施形態では、ブラケット撮影モードから単写モードに切り替えた場合においても、再現可能なブラケット撮影条件について、ブラケット撮影モードで得られた画像と同等の画像を再現して記録することができる。
【００５９】
なお、上述の実施の形態においては、ブラケット撮影モードの際に、ＲＡＭ１０５の残容量が十分にないとブラケット撮影モードから単写モードに切り替えるようにしたが、単写モードではなくブラケット撮影条件が限定されたブラケット撮影モード（第２の撮影モード）に切り替えるようにしてもよい。
【００６０】
例えば、ブラケットパラメータとして２種類が設定されている場合、そのうちの１種類のパラメータを選択して、当該選択したパラメータのみを変化させるブラケット撮影モードに切り替えるようにしてもよい。この際、画像処理で再現できないパラメータ、例えば、フォーカス位置、シャッタースピード、絞り値、およびＩＳＯ感度などのパラメータを優先的に選択するようにしてもよい。
【００６１】
上述の説明から明らかなように、図１に示す例では、ＣＰＵ１０１および操作部１０９が設定手段として機能し、ＣＰＵ１０１は判定手段、制御手段、および画像処理手段として機能する。
【００６２】
以上、本発明について実施の形態に基づいて説明したが、本発明は、これらの実施の形態に限定されるものではなく、この発明の要旨を逸脱しない範囲の様々な形態も本発明に含まれる。
【００６３】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６４】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００６５】
１０１  ＣＰＵ
１０２  撮像素子
１０３  Ａ／Ｄ変換回路
１０５  ＲＡＭ
１０７  静止画信号処理回路
１０８  静止画撮像スイッチ
１０９  操作部
１１０  表示部
１２０  外部記録装置
１２３  記録部
【図１】
2016051017.tif 000003
【図２】
2016051017.tif 000004
【図３】
2016051017.tif 000005
【図４Ａ】
2016051017.tif 000006
【図４Ｂ】
2016051017.tif 000007